(57)【要約】【課題】風呂加熱が不要な状況で風呂循環運転する場合や、湯張りのための風呂注湯する場合に、貯湯タンクの熱量が浪費されることのない風呂追い焚き付き電気温水器を提供することを目的とする。【解決手段】風呂追い焚き熱交換器２４の貯湯タンク入口配管２４ａに設けた三方弁２５により、風呂追い焚き熱交換器２４を通過する経路と風呂追い焚き熱交換器２４を通過しない短絡経路に切り替えることにより、風呂加熱が不要な時に貯湯タンク１１の熱量が浪費され不必要に浴槽２２の温度が上昇することを防止できる。同時に２経路に浴槽の湯を流すことにより、風呂追い焚き開始時、高温の湯がいきなり出て来るということもない。【選択図】  図１
2004219004.tif 000002
【特許請求の範囲】
【請求項１】
内部の上方に沸き上げヒータを備えた貯湯タンクと、この貯湯タンク内の湯を浴槽へ供給する風呂注湯配管と、この風呂注湯配管を開閉する風呂注湯弁と、風呂注湯弁の下流で風呂注湯配管から分岐して浴槽と連絡した、風呂往き配管および風呂戻り配管からなる風呂循環配管と、この風呂循環配管の一部に接続し貯湯タンク内部の上方に装備した風呂追い焚き熱交換器とを備え、前記風呂追い焚き熱交換器の貯湯タンク入口配管には三方弁を設け、三方弁で分岐した配管を風呂追い焚き熱交換器の貯湯タンク出口配管に接続した風呂追い焚き付き電気温水器。
【請求項２】
三方弁に代えて混合弁を用いた請求項１に記載の風呂追い焚き付き電気温水器。
【請求項３】
貯湯タンクの側面上部に開口部を設け、この開口部に対し風呂追い焚き熱交換器を着脱自在に取り付けた請求項１または２に記載の風呂追い焚き付き電気温水器。
【請求項４】
風呂追い焚き熱交換器は２系統以上の並列した流路を有し、貯湯タンク内部の天面に沿うような形状とした請求項１〜３のいずれか１項に記載の風呂追い焚き付き電気温水器。
【発明の詳細な説明】
【０００１】
【発明の属する技術分野】
本発明は、風呂追い焚き機能を有する電気温水器に関するものである。
【０００２】
【従来の技術】
従来、この種の風呂追い焚き機能を有する電気温水器はよく知られており、浴槽内の湯を、貯湯タンク内の風呂追い焚き熱交換器に循環させることにより、貯湯タンク内の湯と熱交換させて追い焚きをするものである（例えば、特許文献１参照）。
【０００３】
【特許文献１】
特開２００２−４８３９３号公報
【０００４】
【発明が解決しようとする課題】
しかしながら、前記従来の電気温水器では、風呂保温運転時に風呂温度を確認するための風呂循環運転、あるいは風呂に水が有る時の凍結防止ための風呂循環運転等の風呂加熱が不要な状況で風呂循環運転する場合や、湯張りのための風呂注湯する場合は、風呂追い焚き熱交換器を湯が通過するため、貯湯タンクの湯との熱交換が行われ、貯湯タンクの熱量が浪費され不必要に浴槽の温度が上昇するという課題がある。また、風呂加熱していない時は、風呂追い焚き熱交換器内部の湯が貯湯タンクの湯温と同じ温度になっているため、風呂加熱開始時には、高温の湯が出てくるという安全上の課題もある。
【０００５】
本発明は、前記従来の課題を解決するもので、風呂加熱が不要な状況で風呂循環運転する場合等においては、貯湯タンクの熱量が浪費されることのないようにし、また風呂加熱開始時には、いきなり高温の湯が出て来ないようにすることが可能で安全性が確保できる風呂追い焚き付き電気温水器を提供することを目的とするものである。
【０００６】
【課題を解決するための手段】
前記目的を達成するために、本発明の風呂追い焚き付き電気温水器は、風呂追い焚き熱交換器の貯湯タンク入口配管に三方弁を設け、三方弁で分岐した配管を風呂追い焚き熱交換器の貯湯タンク出口配管に接続したものである。
【０００７】
これにより、三方弁により風呂追い焚き熱交換器を通過する経路と風呂追い焚き熱交換器を通過しない経路を切り替えることができるため、風呂加熱が不要な状況で風呂循環運転する場合等においては、貯湯タンクの熱量が浪費されることがないようにでき、また風呂加熱開始時には、三方弁の位置を配慮することで、風呂追い焚き熱交換器を通過する経路と風呂追い焚き熱交換器を通過しない経路へ同時に浴槽の湯を流し、風呂追い焚き熱交換器内部の高温の湯に浴槽の湯を混合でき、風呂加熱開始時に、いきなり高温の湯が出て来ないようにすることが可能で安全性が確保できるものである。
【０００８】
【発明の実施の形態】
請求項１に記載の発明は、内部の上方に沸き上げヒータを備えた貯湯タンクと、この貯湯タンク内の湯を浴槽へ供給する風呂注湯配管と、この風呂注湯配管を開閉する風呂注湯弁と、風呂注湯弁の下流で風呂注湯配管から分岐して浴槽と連絡した、風呂往き配管および風呂戻り配管からなる風呂循環配管と、この風呂循環配管の一部に接続し貯湯タンク内部の上方に装備した風呂追い焚き熱交換器とを備え、前記風呂追い焚き熱交換器の貯湯タンク入口配管には三方弁を設け、三方弁で分岐した配管を風呂追い焚き熱交換器の貯湯タンク出口配管に接続した風呂追い焚き付き電気温水器とすることにより、三方弁により風呂追い焚き熱交換器を通過する経路と風呂追い焚き熱交換器を通過しない経路を切り替えることができるため、風呂加熱が不要な状況で風呂循環運転する場合等においては、貯湯タンクの熱量が浪費されることがないようにでき、また風呂加熱開始時には、三方弁の位置を配慮することで、風呂追い焚き熱交換器を通過する経路と風呂追い焚き熱交換器を通過しない経路へ同時に浴槽の湯を流し、風呂追い焚き熱交換器内部の高温の湯に浴槽の湯を混合でき、風呂加熱開始時に、いきなり高温の湯が出て来ないようにすることが可能で安全性が確保できるものである。
【０００９】
請求項２に記載の発明は、三方弁に代えて混合弁を用いた請求項１に記載の風呂追い焚き付き電気温水器とすることにより、混合弁の作用により請求項１に記載の発明と同様な効果が得られる。
【００１０】
請求項３に記載の発明は、貯湯タンクの側面上部に開口部を設け、この開口部に対し風呂追い焚き熱交換器を着脱自在に取り付けた請求項１または２に記載の風呂追い焚き付き電気温水器とすることにより、風呂追い焚き熱交換器のサービスが容易となる。すなわち、風呂追い焚き熱交換器には浴槽の湯を流すため、湯垢、毛髪、ゴミにより詰まり等の問題の発生が考えられる。電気温水器は大型の設備商品であり商品交換には大きな労力、時間、費用を必要とするため、風呂追い焚き熱交換器を着脱可能な構成にしておくことで、風呂追い焚き熱交換器にかかわる問題発生に対して現場での対応が可能となる。
【００１１】
請求項４に記載の発明は、風呂追い焚き熱交換器は２系統以上の並列した流路を有し、貯湯タンク内部の天面に沿うような形状とした請求項１〜３のいずれか１項に記載の風呂追い焚き付き電気温水器とすることにより、流路を細管とすることができるとともに配管の圧損が増大することを低減し、さらに、流速の低減による潰蝕防止が図れる。また、風呂追い焚き熱交換器の形状から貯湯タンク内部の天面に近づけることができ、貯湯タンクの湯を効率よく風呂加熱に利用することができる。
【００１２】
【実施例】
以下、本発明の実施例における風呂追い焚き付き電気温水器について図１、図２を用いて説明する。
【００１３】
図１において、１１は貯湯タンク、１２は貯湯タンク１１の内部の上方に備えた沸き上げヒータ、１３は貯湯タンク１１の下部と上部を接続する循環配管、１４は循環配管１３に設けて貯湯タンク１１内下部の水を上部に循環搬送するための循環ポンプ、１５は貯湯タンク１１上部に接続した出湯配管、１６は水道水を減圧する減圧弁、１７は減圧弁１６を通して水道水を後記する混合弁へ給水する給水配管で、一部を分岐して貯湯タンク１１内下部にも給水するものである。１８は出湯配管１５と給水配管１７間に設け湯と水を設定温度に混合する混合弁、１９は混合弁１８を通して貯湯タンク１１内の湯、または水道水との混合湯を浴槽２２へ供給する風呂注湯配管、２０は風呂注湯配管１９を開閉する風呂注湯弁、２１は風呂注湯弁２０の下流で風呂注湯配管１９から分岐して浴槽２２と連絡した、風呂往き配管２１ａおよび風呂戻り配管２１ｂからなる風呂循環配管、２３は風呂戻り配管２１ｂに設けられた風呂循環ポンプ、２４は風呂循環配管２１の一部に接続し貯湯タンク１１内部の上方に装備した風呂追い焚き熱交換器である。この風呂追い焚き熱交換器２４は沸き上げヒータ１２直上の貯湯タンク１１の最上部に配置されている。２５は風呂追い焚き熱交換器２４の貯湯タンク入口配管２４ａに設けた三方弁、２６は三方弁２５より浴槽側に配した風呂温度サーミスタ、２７は三方弁２５で分岐し風呂追い焚き熱交換器２４の貯湯タンク出口配管２４ｂに接続した短絡用の配管、２８は風呂往き配管２１と配管２７の合流部より浴槽側に配した熱交換器出口サーミスタ、２９は浴槽２２内の風呂往き配管２１ａと風呂戻り配管２１ｂの端部に装備した循環アダプター、３０は注湯栓である。
【００１４】
次に動作、作用について説明すると、貯湯タンク１１の上方に備えた沸き上げヒータ１２にて貯湯タンク１１内の湯を沸き上げる。次に、循環配管１３を通して循環ポンプ１４にて、貯湯タンク１１下部の水を上部に搬送することにより、貯湯タンク１１上部から下部に向かって全量沸き上げる。浴槽２２の湯張りは、貯湯タンク１１上部から出る出湯配管１５の湯と、水道水を減圧弁１６で減圧した給水配管１７からの水が設定温度に混合され混合弁１８を通って風呂注湯配管１９、風呂循環配管２１に導かれ、風呂注湯弁２０を開けることで開始し、閉じることで終了する。湯張り時を含め、風呂加熱が不要な場合には、風呂追い焚き熱交換器２４に湯が流れないように、三方弁２５は配管２７に全量流すように駆動されている。浴槽２２の湯温が低下した場合は、三方弁２５を切り替え、風呂循環ポンプ２３を駆動することで、浴槽２２の湯を風呂戻り配管２１ｂから風呂往き配管２１ａへと循環させ、途中の風呂追い焚き熱交換器２４において浴槽２２の湯と貯湯タンク１１上部の高温の残湯で熱交換し、浴槽２２の湯を加熱する。このとき、熱交換器出口サーミスタ２８の信号により三方弁２５を駆動し、風呂追い焚き熱交換器２４に流す流量を調整することで、風呂加熱能力を制御することが可能である。
【００１５】
この方式では、風呂保温運転時に風呂温度を確認するための風呂循環運転、あるいは浴槽２２に水が有る時の凍結防止ための風呂循環運転等の風呂加熱が不要な風呂循環運転時や、湯張りのための風呂注湯時は、三方弁２５を駆動して風呂追い焚き熱交換器２４を通過しない短絡経路に流すことにより、貯湯タンク１１の熱量が浪費され不必要に浴槽２２の温度が上昇するという課題を防止することができる。さらに、熱交換器出口サーミスタ２８の信号によるフィードバック制御もできるため、風呂加熱能力の制御が可能となり、風呂保温時に循環アダプター２９から出る風呂加熱後の湯温の上がりすぎを抑制することや、風呂加熱開始時に、高温の湯が循環アダプター２９から出て来るということも抑制することができる。
【００１６】
また、三方弁２５は、自動あるいは手動で切り替えることができるようにするとともに、中間位置に止めることにより、風呂追い焚き熱交換器２４を通過する経路と、配管２７を通過する短絡経路とに同時に流れるようにし、その分配比率調整を可能とすることもできる。これにより、風呂加熱開始時には、短絡経路の循環にしておき、風呂循環運転開始後は、三方弁２５を中間位置に駆動して、風呂追い焚き熱交換器２４を通過する経路と短絡経路に同時に流し、風呂追い焚き熱交換器２４内部の高温の湯に浴槽２２の湯を混合し、風呂追い焚き熱交換器２４内部の高温の湯が完全に置換した後、風呂追い焚き熱交換器２４側の循環に切り替えることができる。したがって、いきなり高温の湯が循環アダプター２９から出て来るという安全上の課題を防止することができる。さらに、風呂温度サーミスタ２８を配しているため、三方弁２５の切替えに関係なく風呂温度を検知することができる。
【００１７】
なお、三方弁２５に代えて混合弁を用いることができるものであり、この場合も上記と同様な作用効果を得ることができる。
【００１８】
次に、図２に基づいて、貯湯タンク１１と風呂追い焚き熱交換器２４の関係構成について説明する。
【００１９】
貯湯タンク１１の上側部には開口部３１が設けてあり、ここから風呂追い焚き熱交換器２４が貯湯タンク１１内に装備されている。すなわち、開口部３１には取り付け用フランジ３２があり、ここにシール用パッキン３３を介して風呂追い焚き熱交換器２４の取り付け部材３４がネジ止めにより着脱自在に取り付けられている。そして、風呂追い焚き熱交換器２４は、２系統以上の並列した複数の細管３５よりなる流路を有し、貯湯タンク１１内部の天面に沿うよう上方に凸の形状としている。なお、３６は２系統以上の並列した複数の細管３５に流れるように流路を形成するためのヘッダーである。
【００２０】
上記構成とすることで、風呂追い焚き熱交換器２４のサービスが容易となるものである。すなわち、風呂追い焚き熱交換器２４には浴槽２２の湯を流すため、湯垢、毛髪、ゴミにより詰まり等の問題の発生が考えられる。電気温水器は大型の設備商品であり商品交換には大きな労力、時間、費用を必要とするため、風呂追い焚き熱交換器２４を着脱可能な構成にしておくことで、風呂追い焚き熱交換器２４にかかわる問題発生に対して現場での対応が可能となるものである。
【００２１】
また、風呂追い焚き熱交換器２４は２系統以上の並列した複数の細管３５よりなる流路を有したコンパクトなものであり、細管による配管の圧損が増大することを低減し、流速の低減による潰蝕防止を図っている。また、貯湯タンク１１内部の天面に沿うような形状としたことにより、風呂追い焚き熱交換器２４を貯湯タンク１１内部の天面に近づけることができ、貯湯タンク１１の湯を効率よく風呂加熱に利用することができる。
【００２２】
【発明の効果】
以上説明したように、本発明の風呂追い焚き付き電気温水器は、風呂追い焚き熱交換器の貯湯タンク入口配管に三方弁を設け、三方弁で分岐した配管を風呂追い焚き熱交換器の貯湯タンク出口配管に接続したものである。これにより、三方弁により風呂追い焚き熱交換器を通過する経路と風呂追い焚き熱交換器を通過しない経路を切り替えることができるため、風呂加熱が不要な状況で風呂循環運転する場合等においては、貯湯タンクの熱量が浪費されることがないようにでき、また風呂加熱開始時には、三方弁の位置を配慮することで、風呂追い焚き熱交換器を通過する経路と風呂追い焚き熱交換器を通過しない経路へ同時に浴槽の湯を流し、風呂追い焚き熱交換器内部の高温の湯に浴槽の湯を混合でき、風呂加熱開始時に、いきなり高温の湯が出て来ないようにすることが可能で安全性が確保できるものである。
【図面の簡単な説明】
【図１】本発明の実施例における風呂追い焚き付き電気温水器の構成図
【図２】同風呂追い焚き付き電気温水器の風呂追い焚き熱交換器部分の詳細図
【符号の説明】
１１  貯湯タンク
１２  沸き上げヒータ
１９  風呂注湯配管
２０  風呂注湯弁
２１  風呂循環配管
２１ａ  風呂往き配管
２１ｂ  風呂戻り配管
２２  浴槽
２３  風呂循環ポンプ
２４  風呂追い焚き熱交換器
２４ａ  貯湯タンク入口配管
２４ｂ  貯湯タンク出口配管
２５  三方弁
２７  短絡用の配管
３１  開口部
３５  細管
【図１】
2004219004.tif 000003
【図２】
2004219004.tif 000004